(57)【特許請求の範囲】
【請求項１】
少なくとも１つのホストステーション（１）と、複数の加入者ユニット（６）とを有し、該１つのホストステーション（１）もしくは各ホストステーションは加入者ユニットにメッセージを送信すべく作動でき、
各加入者ユニットは多数の固定記憶位置（17）と、必要なときに加入者ユニットからアクセスされたとき、選択された１つの固定記憶位置にメッセージを格納するためのメッセージの検出に応答する手段を備え、
前記固定記憶位置（17）は前記加入者ユニットと接続される集積回路カード（７）もしくはその他のモジュールで与えられる電気通信システムであり、
前記１つのホストステーション（１）もしくは各ホストステーションは、このシステムで使用のフォーマットと区別可能な特定フォーマットでメッセージを伝達可能であり、
前記モジュールは前記他のフォーマットと前記特定フォーマットで記載のメッセージを区別し、特定なフォーマットで記載のメッセージを解読し、選択された固定記憶位置（17）に前記解読したメッセージを格納するために書き込み命令を含むメッセージに応答する手段を有することを特徴とする電気通信システム。
【請求項２】
請求項１におけるモジュール（７）は、更に、読込み命令を含む解読メッセージに応じて、関連する加入者ユニットによって取られるべき行為を起こさせるように作動する読取り手段を有していて、その前記行為は前記読込み命令によって要求された情報の伝達を含むことを特徴とする電気通信システム。
【請求項３】
請求項２におけるモジュール（７）は、前記要求された情報を加入者ユニット（６）に、特定フォーマットで形成されたメッセージで伝達することを特徴とする請求項２の電気通信システム。
【請求項４】
関連する加入者ユニット（６）はモジュール（７）からメッセージを受けとって、メッセージからの情報を加入者ユニットの使用者に提供し、或いは少なくとも１つのホストステーション（１）にメッセージを伝達するための手段を備えていることを特徴とする請求項３の電気通信システム。
【請求項５】
１つのホストステーション（１）もしくは各ホストステーションは特定フォーマットされた更なるメッセージを伝達可能であり、そのメッセージはモジュール（７）に格納されているプログラムを実行する命令を含んでおり、そして、モジュールは格納されている情報を含むメッセージと情報の要求と命令を区別可能な手段を含む請求項１から請求項４のいずれか１項の電気通信システム。
【請求項６】
ホストステーション（１）から伝達される特定フォーマットされたメッセージには、安全記憶位置に格納することを要求する情報を含み、
モジュール（７）は、加入者ユニット（６）に個人識別情報を入力したときのみ応答し、ホストステーション（１）から伝達される要求に対し、安全記憶位置にアクセスする請求項１から請求項５のいずれか１項の電気通信システム。
【請求項７】
特定フォーマットされたメッセージは、安全フォーマットでコード化されている請求項１から請求項６のいずれか１項の電気通信システム。
【請求項８】
安全フォーマットは、命令が先頭に付いているデータで構成の植え込みコマンドストリーム（Embedded  Command  Stream）であることを特徴とする請求項７の電気通信システム。
【請求項９】
ホストステーション（１）から伝達される特定フォーマットされたメッセージは、書き込み命令によって先頭に付いた安全フォーマットで作成されたメッセージを伝達可能であり、モジュール（７）は書き込み命令によって特化されて選定されたメモリ位置にメッセージを格納することができる請求項７又は請求項８の電気通信システム。
【請求項１０】
モジュール（７）は、命令で特化されて選定された記憶位置から情報を読み込むことができる請求項１から請求項９のいずれか１項の電気通信システム。
【請求項１１】
情報は連続したメモリ位置から読み込まれ、特定フォーマットで格納され、モジュール（７）から伝達される請求項10の電気通信システム。
【請求項１２】
モジュール（７）は、加入者ユニット、或いは、１つのホストステーション（１）もしくは各ホストステーションによって、読込み及び又は書込みからメモリ位置を防御するロック手段を含む請求項１から請求項11のいずれか１項の電気通信システム。
【請求項１３】
１つのホストステーション（１）もしくは各ホストステーションは、限定命令（attribute  command）を含む別のメッセージを伝達し、モジュール（７）のロック制御手段は、前記限定命令に応答し、メモリ位置をロック又はアンロックし、読込み及び又は書込みの防御を選択して与える請求項12の電気通信システム。
【請求項１４】
１つのホストステーション（１）もしくは各ホストステーションは、特定フォーマットのメッセージを、少なくとも１つの加入者ユニットの固定記憶位置（17）に格納されている早期段階のメッセージに書換えるために伝達する請求項１から請求項13のいずれか１項の電気通信システム。
【請求項１５】
少なくとも１つのホストステーション（１）を有する電気通信システムにおいて、加入者ユニットを制御するモジュール（７）であり、このモジュール（７）は加入者のトランシーバ（６）に接続してあり、
多数の固定記憶位置（17）と、ホストステーション（１）から電送されるメッセージを検出するとそのメッセージをメモリの１つに格納する手段を有し、
システムに使用するフォーマットと特定フォーマットで作成のメッセージを区別する手段と、
選択され固定記憶位置において、特定フォーマットで作成のメッセージを解読する手段と、
選択され固定記憶位置に解読されたメッセージを格納するために、書込み命令を含むメッセージに応答する手段を備えることを特徴とする電気通信システム。
【請求項１６】
請求項15におけるモジュール（７）は、読込み命令を含む解読メッセージに応じて、関連する加入者ユニットによって取られるべき行為を起こさせるように作動する読取り手段を有していて、
その前記行為は前記読込み命令によって要求された情報を伝達することを特徴とする電気通信システム。
【請求項１７】
特定フォーマットで作成のメッセージ中の要求情報を加入者ユニット（６）に伝達する手段を含む請求項16の電気通信システム。
【請求項１８】
格納されているメッセージとモジュールに格納された情報の要求及び又はモジュールに格納されたプログラムを実行する命令を特定フォーマットで作成のメッセージで区別する手段を備える請求項16又は請求項17の電気通信システム。
【請求項１９】
加入者自身による加入者ユニットに入力する個人識別情報に応答し、ホストステーション（１）から伝達される要求に対し、モジュールの安全記憶位置にアクセスする請求項18の電気通信システム。
【請求項２０】
モジュールに格納のプログラムを実行する命令に応答する手段を含む請求項18又は請求項19の電気通信システム。
【請求項２１】
加入者ユニット及び又は、読込み及び又は書込む固定記憶位置（17）を選択的に防御するためのロック制御手段を備えている請求項16から請求項20の何れか１項の電気通信システム。
【請求項２２】
各固定記憶位置（17）は簡単で短いコードであり、固定記憶位置（17）からデータを読み出す関連する短いコードに対応する手段を備えている請求項16から請求項21の何れか１項の電気通信システム。
【請求項２３】
ファイルを格納できるディレクトリーを有している請求項15から請求項22の何れか１項の電気通信システム。
【請求項２４】
モジュールは集積回路カードである請求項15から請求項23の何れか１項の電気通信システム。
【請求項２５】
少なくとも１つのホストステーション（１）と、複数の加入者ユニット（６）とを有し、該１つのホストステーション（１）もしくは各ホストステーションは加入者ユニットにメッセージを送信すべく作動でき、下記のステップで構成する電気通信方法であり、
（ａ）各加入者ユニットにおいて多数の固定記憶位置（17）があり、メモリ位置は前記加入者ユニットに接続される集積回路カード（７）に配置され、
（ｂ）ホストステーションから少なくとも１つの加入者ユニットにシステムで使用しているメッセージフォーマットと区別可能な特定フォーマットのメッセージを伝達し、
（ｃ）少なくとも１つの加入者ユニットでメッセージを受取り、そのメッセージを集積回路カード（モジュール）に送り、
（ｄ）集積回路カード（モジュール）が特定フォーマットとその他のフォーマットのメッセージを区別し、
（ｅ）特定フォーマットのメッセージを解読手段に送る、
（ｆ）特定フォーマットで作成のメッセージを解読し、
（ｇ）メッセージに書込み命令を含んでいるときには、選択された固定記憶位置（17）にその解読のメッセージを格納する
ことを特徴とする電気通信方法。
【請求項２６】
請求項25において、更に、解読されたメッセージを読み、そして、そのメッセージが読む命令を含んでいるときには少なくとも１つの加入者によって、読取り命令で要求される情報を伝達することがなされる請求項25の電気通信方法。
【請求項２７】
読取り命令で要求された情報を少なくとも１つの加入者ユニット（６）に特定フォーマットで形成されたメッセージとして伝達することを特徴とする請求項26の電気通信方法。
【請求項２８】
メッセージを受取り、少なくとも１つの加入者ユニットのユーザへメッセージからの情報を表示し、或いは、メッセージを少なくとも１つのホストステーションに伝達する請求項26の電気通信方法。
【請求項２９】
更に、少なくとも１つのホストステーションから少なくとも１つの加入者ユニット（６）に、特定フォーマット化され、且つ、モジュールに格納のプログラムを実行する命令を含むメッセージを伝達し、
格納された情報と命令と情報の要求を持っている複数のメッセージを相互に区別するステップを含む請求項26、請求項27又は請求項28の電気通信方法。
【請求項３０】
特定フォーマットで作成のメッセージは安全フォーマットで作成されている請求項25から請求項29のいずれか１項の電気通信方法。
【請求項３１】
安全フォーマットは、命令が先頭にあるデータで構成の植え込みコマンドストリーム（Embedded  Command  Stream）である請求項30の電気通信方法。
【請求項３２】
解読されたメッセージが限定命令（attribute  command）を含むことを見いだし、
限定命令は、少なくとも１つのメモリを少なくとも１つのホストステーション（１）或いは加入者ユニット（６）にアクセス可能又はアクセス不可能にするために、ロック又はアンロックし、
少なくとも１つのメモリをロック又はアンロックするときには、少なくとも１つのホストステーション（１）或いは加入者ユニット（６）から少なくとも１つのメモリにアクセスを制御する請求項26から請求項31のいずれか１項の電気通信方法。
【発明の詳細な説明】
本発明は電気通信システムに関し、特に、例えばセルラー（cellular）移動式無線通信或いは電話システムのような移動式通信システムに関するものであるが、これらに限定されるわけではない。
これらのシステムにおける最近の革新は加入者識別モジュール（Subscriber Identity Module）（SIMカード）の導入にある。これらは移動式電話に抜き取り可能に挿入でき、例えば加入者の識別、すなわち彼の電話番号をメモリーに有する、集積回路カードである。これら周知のSIMカードはまた或る数の英数字を記憶できるローリングバッファを有している。このバッファは加入者もしくは特定の加入者グループのためのメッセージを進歩した形態の無線ページングとして放送される、所謂ショートメッセージサービス（SMS）を容易とするものである。メッセージは加入者の電話により、アイドル状態であれスタンバイ状態であれ、いつでも受信できる。しかしながら、メッセージがバッファーに過充填されると、先入れ先出し式でデータが失われてしまう。
US−Ａ−5 127 040には移動式ユニットに収集した電話番号を遠隔式で装入するための方法及び装置が記載されている。
EP−Ａ−0 459 343には通信システムの遠隔端末においてソフトウェアをダウンロードし、実行するための方法が記載されている。
WO−Ａ−91/12698は或るサービスの利用を許容するだけのためにプログラムされたSIMカードを備えた移動式無線電話を開示している。このようなプログラミングは直接行われるもので、遠隔式で行われるものではない。
本発明はより有効でかつ遠隔式で再構成可能なSIMカードの提供を目的とするものである。
本発明は、一つのアスペクトでは、少なくとも１つのホストステーションと、複数の加入者ユニットとを有し、ホストステーションもしくは各ホストステーションは少なくとも１つの加入者ユニットにメッセージを送信すべく作動でき、各加入者ユニットは多数の固定記憶位置と、メッセージの検出に応答して、メッセージを、加入者ユニットからの書き重ねはできないが必要により加入者ユニットからアクセスできる、選択された一つの固定記憶位置に記憶するための手段とを有している。
この説明及び添付のクレームにおける”固定”記憶位置は、データを書き込める位置を意味し、先入れ先出し即ち円形バッファを排除するものである。或る”固定”記憶位置における全てのデータの書き重ねは従来のSMSバッファにおいて経験されたデータの先入れ先出しロスとは対照的に生じるものである。
つまり、例えば各々識別用英数字タグを有する電話番号の１組をSIMカードに送ることで、利用者は例えばホテル、ハイヤー、飛行機の予約のような共通利用されるサービスに容易にアクセスできる。この特徴は付加価値サービスディレクトリ（Value Added Service Directory）として知られている。
メッセージは簡単な短いコードを加入者ユニットに入力することで加入者により解読でき、ここで各記憶位置は特定のコードに対応する。メッセージには電話番号が含まれ、一旦記憶されれば空中越しに書き重ね可能である。好ましくは、ホストステーションもしくは各ホストステーションは加入者ユニットに記憶された情報についての要求を伝送すべく作動できる。このような情報はメッセージに含ませることができ、かつ加入者が個人識別番号（personal Identification number）（PIN）を入力した時にのみアクセス可能な安全記憶位置に記憶された情報を含むことができる。このような情報は例えばクレジット状態のクレジットカード番号のような加入者に関連するクレジットの詳細を含むことができ、これによって電話を通じたクレジットカード取引の実行が非常に容易となる。本発明のこのような特徴を利用することによって、クレジット口座の所有者は彼の口座の詳細の口述書取を回避することができる。
ホストステーションは加入者ユニットにおける記憶位置をロックしかつ／もしくはロック解除する指示を伝達すべく作動できる。またホストステーションは加入者ユニットにおける記憶位置に記憶されたプログラムを走らせるための指示を伝送すべく作動できる。さらに、ホストステーションは機能データを含むファイル及び／もしくは非機能データを含むファイルを加入者ユニットに伝送すべく作動できる。
これらの伝送されるメッセージ、情報についての要求及び指示は特定のフォーマットで伝送でき、加入者ユニットはこの特定のフォーマットを他のフォーマットと区別できる。この特定のフォーマットは妨害に対する安全を提供できる。好ましい実施例において、加入者ユニットは移動式の無線機もしくは電話と、無線機／電話に取り外し可能に接続できる集積回路カードとを有する。この集積回路カードは記憶位置を含み、かつ特定のフォーマットを他のフォーマットから区別するための手段を含んでいる。カードはまたメッセージと、情報についての要求と、指示との間を区別するための手段を含むことができる。カードはさらにメッセージを記憶するための手段と、要求及び指示に基づいて作動するための手段とを含むことができる。
もう一つのアスペクトにおいて、本発明は電気通信システムにおける加入者ユニットを制御するための、加入者ユニットの送受信器に取り外し可能に接続されたモジュールであって、多数の固定記憶位置と、遠隔から伝送されたメッセージの検出に応答して、固定記憶位置のうちの選択された１つにメッセージを記憶するための手段とを有し、遠隔から伝送された指示に応答して固定記憶位置のいずれかもしくは全てを加入者ユニットもしくはホストステーションのいずれかからの書き重ねもしくは読み出しのためにアクセス可能とし或いはアクセス不能とするための手段を有することを特徴とする。
このモジュールはファイルを内部に記憶できるディレクトリ構造を有することができる。
本発明は広域電気通信システムに特に適用でき、該システムにおいては様々な国もしくは地域の移動式セルラー電話ネットワークが共通の標準を利用してコミュニケートする。このような広域システムの例としては、欧州で現在運用されているGSM（移動式通信のための広域システム（Global System for Mobile Communications））がある。しかしながら、本発明は広域システムに限定されるものではなく、単一の国内セルラーネットワークに適用でき、或いは固定の領土連結ネットワークにすら適用できる。
本発明の一実施例を以下添付図面を参照して、例示のために説明する、同図面において、
図１は本発明のシステムにおける加入者ユニットへのメッセージの伝送を示す図であり；
図２は加入者ユニットがメッセージと要求された情報とを伝送するプロセスを示す図であり；
図３は図１及び図２に示したモジュールの各部材を示すブロック図であり；
図４は図３に示したブロックのうちの一つの詳細を示す図であり；
図５は図１〜４に示したモジュールの作動を示すフローチャートである。
図１は本発明によるSMS伝送経路を図解するものである。従来、ショートメッセージは単一の加入者もしくは営業チームのような特定の加入者グループに通常向けられていた。
しかしながら、GSMはまた、メッセージを特定地域の全ての加入者に送ることができるセル放送（Cell Broadcast）として知られる特徴をもたらす。図示した実施例において、メッセージは広告者の電話番号と、広告者の識別のための英数字タグとからなっている。
操作者はメッセージを端末１に入力する。このメッセージは植え込みコマンドストリーム（Embedded Command Stream）（ECS）として知られる安全フォーマットにコード化され、モデム２と固定のライン３を経てローカルGSMスイッチ４に送られる。メッセージはその伝送アドレスに従ってネットワーク内の他のスイッチのどれか、或いは全部に伝送され、或いはネットワークを横切ってすら伝送される。
このスイッチ４は本例ではメッセージが伝送される地理的領域内に有り、メッセージを多数のセルサイト（cellsites）５に伝送する。これらのセルサイト５はGSMネットワークのベース送受信器ステーションである。
各セルサイト５は以下”移動器”と称する送受信器もしくは移動式電話のグループにメッセージを放送する。セル放送を利用すれば、このグループは放送の時点における地理的領域内の全ての移動器により形成される。
メッセージを受け取った選択された移動器６はその対応するセルサイト５に受信の確認を返送する。この時点より更新状態までは、システムはこの移動器６に再びコンタクトすることはない。
この移動器６はメッセージをSMSデータとして認識し、これを移動器６のスロット内に保持された小さな独立マイクロプロセッサであるところのSIMカード７に受け渡す。SIMカード７は特殊なハードウエア及びソフトウエアを利用してECSを順次認識し、加入者により書き重ねできないような仕方でメッセージをメモリに記憶する。周知のSIMカードは加入者が頻繁にダイヤルした番号や対応する英数字タグを記憶できる、多数の固定記憶位置を含んでいる。本発明のSIMカード７はこれらの位置の一つにメッセージを記憶し、次いで書き込み保護操作を実行する。書き込み保護されたメッセージの記憶に供された位置は特定の広告者カテゴリーに関するコード数字によって指定できる。つまり、例えば、ハイヤー会社の電話番号は位置01に、ホテル予約の電話番号は02に記憶させる等のようにすることができる。
図２は加入者が広告者と通信する、呼び出し実行プロセスを示している。ハイヤー会社の番号が８で示した位置01にあることを覚えている加入者は例えば01＃のような位置に相当する短いコードでキー操作する。移動器６は次いでSIMカード７に尋ねて上記の位置から電話番号を回収する。SIMカード７は番号と、その会社の名称を与える英数字タグの両者を提供し、これを加入者に表示する。利用者はSENDを押すことで、彼が進行を望むことを確認する。次に、移動器はボイスチャネルを獲得し、該ボイスチャネルを通じて、ダイヤルされた番号が呼び出される。GSMシステムは、イントラネットワーク（intra−network）及びインターネットワーク（inter−network）を自動的に取り扱う。この時点で、利用者はその会社と声で対話できる。
その会社に適正な装置が配備されていれば、呼び出しに応えられるやいなや、SIMカード７から読み出された加入者識別情報により、例えば名前や住所のような顧客の勘定詳細がその会社に即座に与えられる。
SIMカード７は加入者の口座勘定を詳細に示す情報をも含んでいる。この情報は、彼自身のみに知られた、PINを加入者が入力した時にのみアクセス可能な、別個の安全記憶位置に保有されており、このため移動器が盗まれあるいは紛失されていないことの確認がなされる。加入者が彼のハイヤー取引を確認すると、移動器６にPIN数を入力してSIMカード７からの口座情報を要求する。SIMカード７はこの情報を供給し、移動器は現存の音声／データ技術を利用して上記会社に詐欺者による検出に対して安全なフォーマットで上記会社に情報を伝送する。この取引は会社すなわちそこの装置によって確認されて、通話が停止する。
本例においては、加入者が、彼が利用しようと望む通信端末に数字をマニュアルで入力することなく、操作者補助ディレクトリー照会システムから電話番号やファックス番号を得ることもできる。
この特徴を利用するためには、加入者はネットワークディレクトリー照会を呼び出して、電話番号を確認したいと望む個人、会社もしくはサービスの名称、さらには呼び出しに応えるオペレータから要求されるあらゆる付加的な情報を与える。すると、オペレータは番号をつきとめてそれを確認し、さらにその番号が口頭で伝送されるべきか、SMSより加入者のSIMカードの所定の記憶位置に伝送されるべきか、またはその両方かを尋ねる。
加入者がSIM更新を選択すると、音声通話が停止して、オペレータはコンピュータにシーケンスを入力し、或いは提供されたボタンを押すことによってSMSプロセスを開始する。電話番号はこれにより転送センターでECSメッセージにコード化され、ネットワークを通じて加入者の通信端末に転送され、通信端末は転送センターへ確認を送る。このようにして、確認が受け取られるまで作動する再試行装置が停止する。
通信端末はメッセージをSMSデータとして認識して、これをSIMカードに渡し、できれば”メッセージ受信済”の象徴を表示する。このSIMカードは次いで特殊なハードウェア及びソフトウェアを利用してECSを認識し、従ってこれを解読する。通常個人或いは会社の名称からなる、数字及びいかなる関連する英数字タグも、記憶を意図された記憶位置とともに解読される。これらの数字及び名称タグは次いでこの位置に書き込まれて、加入者の要求により書き込み保護され、ここで書き込み保護は元々のメッセージに符号化されているものである。
次に、加入者は記憶位置数でキー入力することにより既知の記憶位置にある番号への呼び出しを試みる。SIMカードは要求された通信端末に電話もしくはファクシミリ番号を渡し、加入者の確認が受信されると通信端末は所望の番号への呼び出しを開始する。
図３はSIMカード７の電子的構造を示している。カードは移動器と通信し、カードはこの移動器に、好ましくはプロトコルISO 7816 T＝０を利用して、入力／出力（I/O）マネージャ15を介して接続されている。フィルタ16はI/Oマネージャ15からの入力データを受取り、受け取ったショートメッセージの間から何らかのECSメッセージを検出する。このECSメッセージは拡張された消去可能な読み出し専用メモリ（E2 ROM）17に直接おくられ、このメモリ17は好ましくは”フラッシュ"E2 ROMからなる。E2 ROMからデータをI/Oマネージャ15に直接出力することも可能である。図３に示した残りのブロックはSIMカードの標準的な構成部材である。
図４はE2 ROMがどのようにして組織化されているかを示すものである。ルートディレクトリ18はSIM管理及び識別器19、GSMディレクトリ及びネットワークデータ20、及びテレコムディレクトリ21を含んでいる。
テレコムディレクトリは”短縮ダイヤル番号"22,"可能性構成”（capability configuration）23,"ショートメッセージ"24,固定ダイヤル番号"25及び”料金カウンタ"26の記憶位置を順次含んでいる。各ブロックは複数のメモリ位置を表している。頻繁にダイヤルされる番号とこれに対応する英数字タグが位置22に記憶されている。
”短縮ダイヤル番号”位置22と”ショートメッセージ”位置24は関連するロッキングコントロールファイル27及び28をそれぞれ有している。ロッキングコントロールファイルはこれらに関連する記憶位置からの読み出し／書き込み保護のためと、読み出し／書き込み保護の除去のための手段を構成している。このようなロッキングコントロールファイル27,28は一般に図示したテレコムディレクトリ21内に有るが、これらは管理ディレクトリ内のような他の場所にも配置できる。
図５はSIMカード７の作動を説明するフローチャートであり、SIMカード７は特殊に構成されたハードウェアとソフトウェアとを利用しており、これらのハードウェアとソフトウェアは上記で説明したものであって、図示した作用を実行する。菱形ブロック９において、ECSを有するメッセージ、要求及び指示はECSのないものから区別される。これらのECSタイプは各々少なくとも４つのタイプのうちの１つのコマンドにより見出し付けされたデータストリームからなり、その４つのタイプのコマンドとは、メッセージのための書き込みコマンド，情報についての要求のための読み出しコマンド、指示をロックしあるいはロック解除するための属性コマンド及びプログラムを走らせる指示のためのランコマンドである。
これらのコマンド及びデータタイプはボックス10で解読されて、４つの経路11〜14のうちの一つで働かされる。
経路11はその特定の位置から始まってメッセージを記憶するための書き込みコマンドを取り扱う。経路12は読み出しコマンドを取り扱う。情報要求は最初にアクセスされるべき位置を含むものである。連続する位置が読み出されて、データは、その所要量が読み出されるまでバッファ内に記憶される。バッファ内のデータは次いでECSフォーマットにコード化され、SMSを利用した移動器から呼び出し相手に送られる。
経路13において、属性コマンドが特定の記憶位置をロックしあるいはロック解除するのに利用され、これらを呼び出し相手あるいは加入者のいずれかによるアクセスを可能とし或いは不可能とする。経路14においてランコマンドはSIMカードに記憶されたプログラムを走らせる。
基本的なECSシステムは255の内部シェルコマンドまで拡張でき、書き込み、読み出し、ロック／ロック解除及びランはこれらのコマンドの４つの例である。情報の伝送に利用される特定のプロトコルは固定のものではなく、ISO7816 T＝０もしくはその他の適当なプロトコルであっても良い。
上記内部シェルコマンドはSIMカード７内に外部ファイル実体を形成するためのシステムの能力に対する補足となるものである。このようなファイル実体としては２つのタイプがあり、１つはSIMカードのプロセッサにより実行できかつ要求により自己変形可能な機能データを含むアプリケーションデータファイルプログラム（Application Data File Programs）（ADFP's）であり、もう一つは上記の能力を持たない非機能データを含むアプリケーションデータファイル（Application Data Files）（ADF's）である。現存のADF（Ｐ）'sを、例えば個人化、再個人化あるいはダウンロード可能な電話帳のような進歩した便宜を可能とするように、空中越しに変形可能である。
SIMカード７はコンピュータディスクのようなディレクトリー構造を有しており、新たなADF（Ｐ）'sを空中越しに何らかのディレクトリーにダウンロードできる。さらに、空中越しにディレクトリを作成したり、削除したり、変形したりすることができ、また多重ツリーディレクトリ操作を実行することができ、もはや必要とされないADF（Ｐ）'sを削除することができる。ダウンロードできるADF（Ｐ）データの量はカードのE2 ROMメモリのサイズによってのみ制限される。
本発明は、上記のように、SIMカードの用途を著しく拡張するものである。例えば、付加価値サービスディレクトリ（Value Added Service Directory）を利用して、加入者はホテルや飛行機の座席を彼らの移動器越しに迅速かつ容易に予約できる。
本発明の特徴の付加的な利点は例えば南フランスのような特定の領域へのメッセージの地理的配送が容易となることである。つまり、広告者はこのような特定の領域における全ての移動器加入者に彼らのメッセージを送ることができる。これは加入者が一つの領域から他の領域へと”動き回り”、地域サービスについての知識のない場合に特に有用である。
ディレクトリ照会ダウンロードにより、加入者の通信端末に送られるべき電話或いはファクシミリ番号に、加入者の介在なく、コンタクトできるようになる。オペレータへの呼び出しを行うに際する番号のマニュアル入力プロセスは、特に加入者が運転中で有る場合に、しばしば危険なものである。
ADF（Ｐ）をダウンロードする本システムの能力とは、現存のセルラーシステムとの全体的な互換性を保ちつつ、付加的なサービスを空中越しにSIMカードに付加できることを意味する。つまり、SIMカードはクレジットカード、パスポート、運転免許証、駐車場パス、メンバーシップカード等の機能を獲得できて、マルチサービスカードとなる。また、アクセスする時毎に異なるプロセスを走らせる必要があるサービスについての、動的に更新可能なサービスを付加することができる。
カードに一旦特別なサービスが付加されれば、スタンドアローンアイテムとして望まれる場合に移動器電話環境外で利用できる。これはセールスマシンのポイントのようなハードウェアのそのために提供された部分によって読み出しあるいは書き込みできる。望とあらばこのようなサービスを削除することができるが、カードは移動器電話SIM能力を決して失わない。加えて、カードが特別なサービスを有するならば、このようなサービスは、たとえ加入者が移動器電話ネットワークとの接続を絶たれた場合でも、望まない限り機能し続ける。
本発明の範囲から逸脱することなく変形をなすことができる。
例えば、SIMカードは加入者のニーズに関連するサービスを詳細に伝えるメッセージを受け取るためだけに仕立てることができる。
【図１】
0003627986.tif 000002
【図２】
0003627986.tif 000003
【図３】
0003627986.tif 000004
【図４】
0003627986.tif 000005
【図５】
0003627986.tif 000006
0003627986.tif 000007